(57)【要約】【課題】  意匠的に優れていると共に、製造コスト及び流通コストを低減可能なベルトを提供する。【解決手段】  帯状体からなり片方の端部に接続部材固定用ネジ穴２２が設けられたベルト本体２と、該ベルト本体２の片方の端部に接続されるバックル３と、ベルト本体２とバックル３とを接続するための帯状部材を二つ折りしてなる接続部材４とから構成され、前記接続部材４が、帯状部材が巻き回された部分からなるバックル保持部４１と、帯状部材が重なった部分からなりベルト本体２をネジ留するためのベルト本体固定用ネジ穴４３が設けられたベルト本体挟持部４２とから構成されており、ベルト本体２の片方の端部を接続部材４のベルト本体挟持部４２により挟み、ベルト本体２及び接続部材４のネジ穴４３、２２に留ネジを挿通してネジ留して、バックル３とベルト本体２が接続一体化されるベルト１であって、ベルト本体２に予備の接続部材固定用ネジ穴２３を設け、該ネジ穴２３がベルト本体挟持部４２により覆われるように構成した。【選択図】図4
0003109247.tif 000002
【実用新案登録請求の範囲】
【請求項１】
帯状体からなり片方の端部に接続部材固定用ネジ穴が設けられたベルト本体と、該ベルト本体の片方の端部に接続されるバックルと、ベルト本体とバックルとを接続するための帯状部材を二つ折りしてなる接続部材とから構成され、前記接続部材が、帯状部材が巻き回された部分からなるバックル保持部と、帯状部材が重なった部分からなりベルト本体をネジ留するためのベルト本体固定用ネジ穴が設けられたベルト本体挟持部とから構成されており、ベルト本体の片方の端部を接続部材のベルト本体挟持部により挟み、ベルト本体及び接続部材のネジ穴に留ネジを挿通してネジ留して、バックルとベルト本体が接続一体化されるベルトであって、ベルト本体に予備の接続部材固定用ネジ穴が設けられていると共に、該予備の接続部材固定用ネジ穴がベルト本体挟持部により覆われていることを特徴とするベルト。
【請求項２】
ベルト本体の内面側に、切断の目印となる切断線が設けられている請求項１記載のベルト。
【請求項３】
留ネジに、手でネジ留を可能とするための摘みが設けられている請求項１記載のベルト。
【考案の詳細な説明】
【技術分野】
【０００１】
本考案は胴まわりや腰まわりなどに巻いてズボン等を身体にフィットさせるのに使用される服飾ベルトに関する。
【背景技術】
【０００２】
従来のベルトは、革製等の長尺なベルト本体と、金属製のバックルとが一体に結合した構造に形成されている。このようなベルトはファッション性が要求される。そのため、ベルト本体の意匠と、バックルの意匠は様々なものが存在する。ベルトメーカーがベルトを製造する場合、各種の意匠を有するバックルとベルト本体とを組み合わせて、多品種のベルトを製造することが要求される。
【０００３】
このように、多種のベルトが存在すると、ベルトとバックルの組み合わせ全てを製造して在庫を持つことは、非常に製造が繁雑であると共に、在庫管理にもコストがかかってしまう。そこで、複数種類のベルト本体とバックルとを別々に準備しておいて、販売店等の要望に応じた組み合わせで出荷したり、販売店等で客が好みのバックルとベルト本体を夫々選択して、その場でバックルとベルト本体を接合して販売することが行われている。また、このようなシステムであると、別のバックルを購入する等して、後からバックルのみを交換することも可能であり、種々の利点がある。
【０００４】
このようなベルトとして、例えば、ベルト本体とバックルとを、ベルト本体と同様の材質からなる帯状の部材を二つ折りにしてなる接続部材を用いて接合するものが公知である（例えば特許文献１参照）。具体的な上記特許文献１に記載のベルトは、接続部材を二つ折りして断面Ｕ字状に折り曲げた底部にバックルの端部を挟み、折り返した２枚の帯状部材の間にベルト本体の端部を挟み接続部材の上から留めネジを使ってベルト本体をネジ留めして固定する構造を有する。
【０００５】
【特許文献１】特開平７−９０７０６号公報（図７（ｃ））
【考案の開示】
【考案が解決しようとする課題】
【０００６】
しかし上記特許文献記載のベルトは、本体の長さが固定されているために、ベルト本体の長さを異ならしめたものを複数種類、準備しておく必要がある。上記したように、ベルトの長さの異なるものを準備すると在庫が増えるため、製造コスト及び流通コストを上昇させることになる。本考案は上記従来技術の欠点を解消するためになされたものであり、意匠的に優れていると共に、製造コスト及び流通コストを低減可能なベルトを提供することを目的とする。
【課題を解決するための手段】
【０００７】
本考案は、
（１）帯状体からなり片方の端部に接続部材固定用ネジ穴が設けられたベルト本体と、該ベルト本体の片方の端部に接続されるバックルと、ベルト本体とバックルとを接続するための帯状部材を二つ折りしてなる接続部材とから構成され、前記接続部材が、帯状部材が巻き回された部分からなるバックル保持部と、帯状部材が重なった部分からなりベルト本体をネジ留するためのベルト本体固定用ネジ穴が設けられたベルト本体挟持部とから構成されており、ベルト本体の片方の端部を接続部材のベルト本体挟持部により挟み、ベルト本体及び接続部材のネジ穴に留ネジを挿通してネジ留して、バックルとベルト本体が接続一体化されるベルトであって、ベルト本体に予備の接続部材固定用ネジ穴が設けられていると共に、該予備の接続部材固定用ネジ穴がベルト本体挟持部により覆われていることを特徴とするベルト、
（２）ベルト本体の内面側に、切断の目印となる切断線が設けられている上記（１）記載のベルト、
（３）留ネジに、手でネジ留を可能とするための摘みが設けられている上記（１）記載のベルト。
を要旨とする。
【考案の効果】
【０００８】
本考案は上記構成を採用したことにより、留ネジを外して接続部材からベルト本体を取り出してベルト本体を所定の位置で切断し、ベルト本体の予備の接続部材固定用ネジ穴を用いて接続部材にネジ留することで、長さの異なるベルトが容易に得られる。ベルト本体の長さを容易に異ならしめることができるから、長さの異なるベルト本体を製造して在庫しておく必要がないから、製造コスト及び流通コストを低減できる。しかもベルト本体に設けられている予備の接続部材固定用ネジ穴は、接続部材のベルト本体挟持部によって覆われていて外部に露出していないので、ベルトの外観が極めて良好である。更に接続部材にバックルが保持されていて、接続部材はベルト本体にネジ穴を用いてネジ留されているから、バックルとベルト本体との接続強度にも優れている。このように本考案のベルトは、意匠的に優れていると共に、製造コスト及び流通コストを低減可能であるといった効果が得られる。
【考案を実施するための最良の形態】
【０００９】
本考案を図面を参照して詳細に説明する。図１は本考案のベルトの一例を示す外観斜視図である。図１に示すように本考案のベルト１は、長尺な帯状体からなるベルト本体２と、該ベルト本体２の片方の端部に接続されたバックル３と、ベルト本体２とバックル３とを接続するための接続部材４とから構成される。図１中において５はベルト押え環状体である。
【００１０】
ベルト本体２は、図１に示すように一方の端部に、バックル３のピン３１を挿通してベルト本体２の他方の端部側をバックル３に係止するための貫通穴からなる、５つのピン通し用穴２１、２１・・・が設けられている。ベルト本体２は牛革を使用し、所定のなめし処理、着色、エンボス加工などが施されている。なおベルト本体２は、牛革以外の本革、合成皮革、一枚革、積層体等のこの種のベルトに用いられるものであれば利用できる。また、べルト本体２のピン通し穴の数も５個以外に形成することができる。
【００１１】
図２は図１のベルト本体の他方の端部を示し、（ａ）はベルト裏面側の平面図であり、（ｂ）は（ａ）のＢ−Ｂ断面図である。尚、ベルトの「裏面側」とは、ベルト１を身体に装着した場合に身体側となって表面側から見えない側のことであり、「表面側」とは裏面側と反対に身体に装着した場合の外面側のことである。図２（ａ）、（ｂ）に示すように、ベルト本体２のピン通し用穴２１が設けられた側と反対側の端部には、接続部材固定用ネジ穴２２と、該接続部材固定用ネジ穴２２から所定の間隔の位置に予備の接続部材固定用ネジ穴２３とが設けられている。接続部材固定用ネジ穴２２、２３は、ベルト本体２の幅方向のほぼ中央に設けられ、図２（ｂ）示すように、表面側と裏面側を貫通する貫通穴として形成されている。また接続部材固定用ネジ穴２２、２３は、接続部材４を通して雄ネジ６及び雌ネジ７からなる留ネジを挿通して、ベルト本体２を接続部材４に固定可能な大きさに形成されている。接続部材固定用ネジ穴２２の端部からの距離は、接続部材４のベルト本体固定用ネジ穴４３に対応した位置に設けられている（図４参照）。
【００１２】
更にベルト本体２には、図２（ａ）に示すように、ベルト本体の裏面側上に、固定用ネジ穴２２の上下の位置に、切断の位置決めのための切断線２４が印刷形成されている。なお、ベルト本体２の片方の端部から接続部材固定用ネジ穴２２までの距離と、該接続部材固定用ネジ穴２２から隣の予備の接続部材固定用ネジ穴２３までの距離がほぼ同じになるように形成されている。
【００１３】
図３は図１のベルトのバックル付近を示し、（ａ）はベルト表面側から見た正面図であり、（ｂ）は上面図である。図３（ａ）に示すように、バックル３は金属製で方形状のフレーム部３１を主体とし、該フレーム部の一辺がバックル固定部３１ａとして形成され、該バックル固定部３１ａには接続部材４の帯状部材の折り曲げ部が巻回されている。該バックル固定部３１ａの中央にはベルト本体２のピン通し用穴２１に挿通して係止するためのピン３２が、フレーム部３１の一辺を軸として回動自在に取り付けられている。
【００１４】
図４は接続部材とベルト本体の接続部を示す分解斜視図である。尚、図４においてバックル３及びベルト押え環状体５の記載は省略した。図３（ｂ）及び図４に示すように、接続部材４は、帯状部材を二つ折りしてなるもので、帯状部材が巻き回された部分からなるバックル保持部４１と、帯状部材が重なっている部分からなるベルト本体挟持部４２とから構成される。バックル保持部４１にはバックルのフレーム３１の一辺３１ａが保持され、ベルト本体挟持部４２との境界が縫着部４５において縫着されていて、帯状部材の巻き回し部分にバックル３が保持されている（図３（ａ）、（ｂ）参照）。図４に示すように、バックル保持部４１の中程は、バックル３のピン３２を回動可能とするための切り欠き部４４が設けられている。
【００１５】
接続部材４のベルト本体挟持部４２には、ベルト本体固定用ネジ穴４３が設けられている。ベルト本体固定用ネジ穴４３は、ベルト本体２の接続部材固定用ネジ穴２２に対応した所定の位置に、折り返されて重なった二枚の帯状体の夫々に設けられている。
【００１６】
ベルトの組み立ては、図３及び図４に示すように、バックル３が取り付けられた接続部材４の二枚の帯状体が重なったベルト本体挟持部４２、４２の間に、ベルト本体２の端部を、ベルト本体固定用ネジ穴４３と接続部材固定用ネジ穴２２とが一致するように挟み、固定用ネジ穴４３に雄ネジ６と雌ネジ７を挿通しネジ留する。ベルト本体２の端部は、接着剤により接続部材のベルト本体挟持部４２に仮留されている。
【００１７】
なお図３（ｂ）に示すように、ベルト本体挟持部４２の長さは、予備の接続部材固定用ネジ穴２３が隠れる長さに形成されている。その為、ベルト本体２の予備の接続部材固定用ネジ穴２３はベルト本体挟持部４２に覆われて表面に露出することがない為、意匠的な外観が優れる。
【００１８】
留ネジの雄ネジ６又は雌ネジ７は、どちらがベルト本体の表面側となるようにしてもよい。その場合、ベルト表面側となるネジの表面には、ブランドマークのロゴや図形等を表示してなる装飾ネジが用いられる。また、ベルト１の裏面側に用いられる留ネジは、表面が皿ネジの頭のように「−」や「＋」の溝を設けて、ドライバー等で回すことができるように形成してもよいが、直接、手でネジを回してネジ留することが可能な、折り畳み式の摘み等を設けることができる。その場合、バックルの交換作業やベルトの切断作業などを工具を使用せずに容易に行うことができる。
【００１９】
本考案のベルト１は、一般には出荷や販売される際、予めベルト本体２とバックル３とを接続して完成した状態で工場から出荷や販売されるが、ベルト本体２に対し、バックル３の種類の異なるものを接続部材４に取り付けた状態で複数種類準備しておいて、出荷や販売の際に、適宜バックル３を選択し、バックル３をベルト本体２に取り付けてベルト１としてもよい。
【００２０】
本考案のベルト１の使用者が、ベルトを身体にフィットさせるために、ベルト１の長さを短くしようとする場合、まず留ネジの雄ネジ６を回動させて雌ネジ７から取り外し、接続部材４に挟持されているベルト本体２を取り外す。次いで、ベルト本体２の端部の切断線２４に沿ってベルト本体を切断する。再度、ベルト本体を接続部材のベルト本体挟持部４２に挟み、ベルト本体２の残っている予備の固定用ネジ穴２３を用いて、接続部材４のベルト本体挟持部４２のネジ穴４３から雄ネジ６と雌ねじ７とを用いて締め付けて固定する。
【００２１】
本実施例では、留ネジが１組の場合について説明したが、本考案のベルトは、留ネジを２組以上使用するように構成してもよい。具体的には、接続部材４のベルト本体挟持部４２に２組のベルト本体固定用ネジ穴４３を設ける場合、ベルト本体２の端部に前記２組みのネジ穴に対応する接続部材固定用ネジ穴に加えて、更にもう一つの予備の接続部材固定用ネジ穴を設け合計３つの接続部材固定用ネジ穴を設け、３つ目の予備の接続部材固定用ネジ穴がベルト本体挟持部によって隠れるように構成すれば良い。
【００２２】
このように本考案のベルトでは、接続部材のベルト本体挟持部４２に設けたネジ穴の組数に対して１個以上多い固定用ネジ穴を設ければよい。好ましくは、ベルト本体２の固定用ネジ穴の数は、ベルト本体挟持部４２に設けたネジ穴の組数に対し１個だけ多いことが、確実にネジ穴を接続部材のベルト本体挟持部によって隠すことができると共に、意匠的に軽快な感じを与えることができる。ちなみにベルト本体２の一端部から他方の端部まで、所定の間隔で全体に貫通穴を設けることは、意匠的な外観が劣るため好ましくない。
【図面の簡単な説明】
【００２３】
【図１】本考案のベルトの一実施例例を示す外観斜視図である。
【図２】図１のベルト本体の他方の端部を示し、（ａ）は平面図であり、（ｂ）は（ａ）のＢ−Ｂ断面図である。
【図３】図１のベルトのバックル付近を示し、（ａ）はベルト表面側から見た正面図であり、（ｂ）は上面図である。
【図４】接続部材とベルト本体の接続部を示す分解斜視図である。
【符号の説明】
【００２４】
１    ベルト
２    ベルト本体
３    バックル
４    接続部材
６    雄ネジ
７    雌ネジ
２２、２３  接続部材固定用ネジ穴
２４  切断線
４１  バックル保持部
４２  ベルト本体挟持部
４３  ベルト本体固定用ネジ穴
【図１】
0003109247.tif 000003
【図２】
0003109247.tif 000004
【図３】
0003109247.tif 000005
【図４】
0003109247.tif 000006